(57)【要約】【課題】燃料電池発電セルのガス流路の流路壁面に一つ以上の微細な溝を備えることで、連続的に円滑にガス拡散層の表面上から液水を排出することができる燃料電池発電セルを提供する。【解決手段】電解質膜３の両面に燃料極１１及び酸化剤極１０をそれぞれ配置してなり、燃料極１１側のガス流路４Ｂに燃料ガスの供給を受け、酸化剤極１０側のガス流路４Ａに酸化剤ガスの供給を受けることで発電する燃料電池発電セルであり、この燃料電池発電セルは、ガス流路４Ａ、４Ｂを構成する流路壁面が親水性を備えており、流路壁面に微細な溝６を一つ以上備えていることで、液水がガス流路内にとどまることなく排除される。【選択図】図１
2007220570.tif 000002
【特許請求の範囲】
【請求項１】
電解質膜の両面に燃料極及び酸化剤極をそれぞれ配置してなり、上記燃料極側のガス流路に燃料ガスの供給を受け、上記酸化剤極側のガス流路に酸化剤ガスの供給を受けることで発電する燃料電池発電セルにおいて、
上記ガス流路を構成する流路壁面が、親水性を備えており、上記流路壁面に微細な溝を一つ以上備えていることを特徴とする燃料電池発電セル。
【請求項２】
上記流路壁面に設けられた上記微細な溝が、上記ガスの流通方向に対して並行な方向に、一つ以上設置されていることを特徴とする請求項１に記載の燃料電池発電セル。
【請求項３】
上記流路壁面に設けられた上記微細な溝が、上記ガスの流通方向に対して垂直な方向に、一つ以上設置されていることを特徴とする請求項１に記載の燃料電池発電セル。
【請求項４】
上記流路壁面に設けられた上記微細な溝が、上記ガスの流通方向に対して並行な方向、垂直な方向及びこれらの方向ベクトルを成分に持つ方向に、それぞれ一つ以上設置されていることを特徴とする請求項１に記載の燃料電池発電セル。
【請求項５】
上記流路壁面に設けられた上記微細な溝の断面面積と形状とが、上記ガス流路の部位により異なることを特徴とする請求項１〜４のいずれか１つの項に記載の燃料電池発電セル。
【請求項６】
上記流路壁面に設けられた上記微細な溝の断面面積と形状とが、上記ガスの流通方向に対して連続的に変化することを特徴とする請求項１〜５のいずれか１つの項に記載の燃料電池発電セル。
【請求項７】
上記流路壁面に設けられた上記微細な溝の断面面積と形状とが、上記ガスの流通方向に対して垂直な方向に連続的に変化することを特徴とする請求項１〜５のいずれか１つの項に記載の燃料電池発電セル。
【請求項８】
上記流路壁面に設けられた上記微細な溝の断面面積と形状とが、上記ガスの流通方向に対して並行及び垂直な方向、又はそれらの方向を成分にもつ方向に連続的に変化することを特徴とする請求項１〜５のいずれか１つの項に記載の燃料電池発電セル。
【請求項９】
上記ガス流路の断面形状が、矩形断面であり、上記流路壁面の各面での接触角が、流路天井＜流路側壁＜ガス拡散層なる関係をもつことを特徴とする請求項１〜８のいずれか１つの項に記載の燃料電池発電セル。
【請求項１０】
上記ガス流路の断面形状が、三角形断面であり、上記流路壁面の各面での接触角が、流路側壁＜ガス拡散層なる関係をもつことを特徴とする請求項１〜８のいずれか１つの項に記載の燃料電池発電セル。
【請求項１１】
上記ガス流路の断面面積が、上記ガス流路に沿って変化することを特徴とする請求項１〜８のいずれか１つの項に記載の燃料電池発電セル。
【請求項１２】
上記酸化剤極側の上記ガス流路の断面面積が、上記ガスの流通方向における上流部から下流部へ流れるに従い拡大することを特徴とする請求項１〜１１のいずれか１つの項に記載の燃料電池発電セル。
【請求項１３】
上記ガス流路の断面形状における頂点角が、上記ガス流路に沿って変化することを特徴とする請求項１〜１２のいずれか１つの項に記載の燃料電池発電セル。
【請求項１４】
上記酸化剤極側の上記ガス流路の断面形状が、上記ガスの流通方向における上流部では三角形状に連続的に変化し、上記ガスの流通方向における下流部では矩形状に連続的に変化することを特徴とする請求項１〜１３のいずれか１つの項に記載の燃料電池発電セル。
【発明の詳細な説明】
【技術分野】
【０００１】
本発明は、燃料電池発電セルに関し、特に液水の排出が円滑に行えるガス流路を有する燃料電池発電セルに関する。
【背景技術】
【０００２】
燃料電池システムは、燃料が有する化学エネルギーを直接電気エネルギーに変換する装置である。この燃料電池システムは、電解質膜を挟んで設けられた一対の電極の内の一方の陽極に対して水素を含有する燃料ガスを供給するとともに、他方の陰極に対して酸素を含有する酸化剤ガスを供給することで、これらの一対の電極の電解質膜側の表面で生じる下記の電気化学反応を利用して、電極から電気エネルギーを取り出すものである。（例えば、特許文献１参照）。
【０００３】
陽極（燃料極）反応  ：Ｈ２→２Ｈ＋＋２ｅ−        ・・・・・・・（１）
陰極（酸化剤極）反応：２Ｈ＋＋２ｅ−＋（１／２）Ｏ２  →  Ｈ２Ｏ・・（２）
【０００４】
燃料ガスを陽極に対して供給する方法としては、水素貯蔵装置から直接陽極に対して供給したり、水素を含有する燃料を改質することで得られる水素含有ガスを陽極に対して供給する方法が知られている。
水素貯蔵装置としては、高圧ガスタンク、液化水素タンク、水素吸蔵合金タンク等がある。水素を含有する燃料としては、天然ガス、メタノール、ガソリン等が考えられる。陰極に供給する燃料（酸化剤）ガスとしては、一般的に空気が利用されている。
【０００５】
そして、燃料電池システムにより発電を行った結果、上記（２）式の右辺にあるように水が必然的に生成される。この水は発電部位の周囲環境により、ガスとしてあるいは液体として発生してくる。
しかし、燃料電池が例えば自動車の動力源として使用される場合には、使用条件、例えば燃料電池発電セルの温度が４０℃以下であって、ガス流速が遅く、圧力が約２気圧等であったりするときに、酸化剤ガス側のガス拡散層の表面には多数の水滴が生成されることが、観察実験から確認されている。
【０００６】
この生成される水滴の量が多いと、ガス流通溝（ガス流路）の内部では、液水がガス拡散層の表面を覆ってしまい、酸化剤極において酸化剤ガスが発電セル内部の発電面まで到達できず、いわゆるフラッディング現象が生じる。このフラッディング現象が発生すると、燃料電池発電セルの発生する電圧が低下してひいては発電不能となり、燃料電池を動力源とするアプリケーションが運転不能となる事態に陥る。
【０００７】
そこで、ガスの流通方向が重力鉛直方向になるようガス流路溝を設置することを前提として、ガス流路壁面の一部に撥水剤を塗布することで、ガス流路溝の出口付近での液水の生成を防ぐことを可能にしているものがある（例えば、特許文献２参照）。  
【特許文献１】特開平８−１０６９１４号公報
【特許文献２】特開平１１−９７０４１号公報
【発明の開示】
【発明が解決しようとする課題】
【０００８】
しかし、前述した特許文献２に開示されている方法では、重力鉛直方向にガス流路溝を設置することを前提としているため、燃料電池の配置の自由度がなかった。また、撥水剤が塗布されるのは、ガス流路溝の壁面の流路の一部であるために、撥水性がガス流路溝内で不連続であるため、必ずしも円滑な液水の排除を促すことはできなかった。
本発明は、上記従来の課題に着目して成されたものであって、燃料電池発電セルのガス流路の流路壁面に一つ以上の微細な溝を備えることで、連続的に円滑にガス拡散層の表面上から液水を排出することができる燃料電池発電セルを提供することを目的としている。
【課題を解決するための手段】
【０００９】
即ち、本発明の燃料電池発電セルは、電解質膜の両面に燃料極及び酸化剤極をそれぞれ配置してなり、上記燃料極側のガス流路に燃料ガスの供給を受け、上記酸化剤極側のガス流路に酸化剤ガスの供給を受けることで発電する燃料電池発電セルであり、上記ガス流路を構成する流路壁面が、親水性を備えており、上記流路壁面に微細な溝を一つ以上備えていることを特徴とする。
【発明の効果】
【００１０】
本発明の燃料電池発電セルによれば、燃料電池発電セルのガス流路の流路壁面に一つ以上の微細な溝を備えることで、連続的に円滑にガス拡散層の表面上から液水を排出することができる。
【発明を実施するための最良の形態】
【００１１】
本発明の燃料電池発電セルの好ましい実施形態では、上記流路壁面に設けられた上記微細な溝が、上記ガスの流通方向に対して並行な方向に、一つ以上設置されている。
本発明の燃料電池発電セルの好ましい実施形態では、上記流路壁面に設けられた上記微細な溝が、上記ガスの流通方向に対して垂直な方向に、一つ以上設置されている。
本発明の燃料電池発電セルの好ましい実施形態では、上記流路壁面に設けられた上記微細な溝が、上記ガスの流通方向に対して並行な方向、垂直な方向及びこれらの方向ベクトルを成分に持つ方向に、それぞれ一つ以上設置されている。  
【００１２】
本発明の燃料電池発電セルの好ましい実施形態では、上記流路壁面に設けられた上記微細な溝の断面面積と形状とが、上記ガス流路の部位により異なる。
本発明の燃料電池発電セルの好ましい実施形態では、上記流路壁面に設けられた上記微細な溝の断面面積と形状とが、上記ガスの流通方向に対して連続的に変化する。 
本発明の燃料電池発電セルの好ましい実施形態では、上記流路壁面に設けられた上記微細な溝の断面面積と形状とが、上記ガスの流通方向に対して垂直な方向に連続的に変化する。 
【００１３】
本発明の燃料電池発電セルの好ましい実施形態では、上記流路壁面に設けられた上記微細な溝の断面面積と形状とが、上記ガスの流通方向に対して並行及び垂直な方向、又はそれらの方向を成分にもつ方向に連続的に変化する。
本発明の燃料電池発電セルの好ましい実施形態では、上記ガス流路の断面形状が、矩形断面であり、上記流路壁面の各面での接触角が、流路天井＜流路側壁＜ガス拡散層なる関係をもつ。
本発明の燃料電池発電セルの好ましい実施形態では、上記ガス流路の断面形状が、三角形断面であり、上記流路壁面の各面での接触角が、流路側壁＜ガス拡散層なる関係をもつ。
【００１４】
本発明の燃料電池発電セルの好ましい実施形態では、上記ガス流路の断面面積が、上記ガス流路に沿って変化する。  
本発明の燃料電池発電セルの好ましい実施形態では、上記酸化剤極側の上記ガス流路の断面面積が、上記ガスの流通方向における上流部から下流部へ流れるに従い拡大する。
本発明の燃料電池発電セルの好ましい実施形態では、上記ガス流路の断面形状における頂点角が、上記ガス流路に沿って変化する。
本発明の燃料電池発電セルの好ましい実施形態では、上記酸化剤極側の上記ガス流路の断面形状が、上記ガスの流通方向における上流部では三角形状に連続的に変化し、上記ガスの流通方向における下流部では矩形状に連続的に変化する。
【実施例】
【００１５】
以下、本発明を実施例により更に詳細に説明するが、本発明は以下の実施例に限定されるものではない。
本発明の好ましい実施例の燃料電池発電セルを説明する前に、本発明の好ましい実施例の燃料電池発電セルの特徴を判り易くするために、図１４を参照しながら、前提となる燃料電池スタックの燃料電池発電セルの構造における１つの要素を説明する。
図１４に示す１つ要素は、燃料電池発電セルであり、この燃料電池発電セルは繰り返しして積層されることにより、燃料電池スタックを構成する。
【００１６】
そこで、図１４に示す燃料電池発電セルの構造について簡単に説明する。
図１４に示す燃料電池発電セルは、固体電解質膜１０３と、この固体電解質膜１０３の一方の面に配置された燃料極１１１と、固体電解質膜１０３の他方の面に配置された酸化剤極１１０を有している。燃料極１１１は、ガス拡散層１０２と、触媒層を有しており、触媒層は固体電解質膜１０３の一方の表面に設置されている。酸化剤極１１０は、ガス拡散層１０２と、触媒層を有しており、触媒層は固体電解質膜１０３の他方の表面に設置されている。
【００１７】
図１４のセパレータ板１０１は、凹凸形状部分を有している。この凹凸形状部分の内の凹部状の部分はガス流路１０４であり、ガス流路１０４はガス流路溝あるいはチャンネルと呼ばれている。このガス流路１０４にはガスが流通する。凹凸形状部分の内の凸部状の部分は、リブ１０５と呼ばれる。
【００１８】
図１４のガス流路１０４の断面形状は矩形断面であり、ガス流路１０４の流路壁面は、ガス拡散層１０２に面する面（以下、ガス拡散層面という）１０４Ｆと、セパレータ板１のリブ１０５が構成する２つの流路側壁１０４Ｇ，１０４Ｇと、ガス拡散層１０２に対向する面（以下、流路天井という）１０４Ｈにより形成されている。
【００１９】
流路側壁１０４Ｇと流路天井１０４Ｈは、酸化チタンや親水性樹脂によりコーティングされており、接触角が約１０度から４５度程度になるように親水処理されている。この時に、セパレータ板１０１のガス流路１０４の壁面に、生成した液水が付着すると、液状になり溜まることがある。さらに発電を続けると、付着した液滴は溜まりつつ成長を続けて、ついにはガス流路１０４を閉塞するほどに成長してしまうことになる。このため、いわゆるフラッディング状態を引き起こし、著しい発電性能の低下につながるために、これを避けなければならない。
【００２０】
（実施例１）
図１は、本発明の好ましい実施例１の燃料電池発電セルを示している。
図１（Ａ）は、燃料ガスと酸化剤ガスの流れ方向に対して垂直な面における燃料電池発電セルの断面構造を示している。図１（Ｂ）は、図１（Ａ）におけるＡ−Ａ線に沿った断面構造を示している。
図１の燃料電池発電セルは、固体電解質膜３と、この固体電解質膜３の一方の面に配置された燃料極１１と、固体電解質膜３の他方の面に配置された酸化剤極１０を有している。燃料極１１は、ガス拡散層（もしくはＧＤＬ：Ｇａｓ  ｄｉｆｆｕｓｉｏｎ  ｌａｙｅｒ）２と、触媒層を有しており、触媒層は固体電解質膜３の一方の表面に設置されている。酸化剤極１０は、ガス拡散層２と、触媒層を有しており、触媒層は固体電解質膜３の他方の表面に設置されている。
【００２１】
図１に示す酸化剤極１０と燃料極１１には、それぞれセパレータ板１Ａ、１Ｂが配置されている。各セパレータ板１Ａ、１Ｂは、凹凸形状部分を有している。一方のセパレータ板１Ａの凹凸形状部分の凹部状の部分はガス流路４Ａであり、他方のセパレータ板１Ｂの凹凸形状部分の凹部状の部分はガス流路４Ｂである。ガス流路４Ａ，４Ｂはガス流路溝あるいはチャンネルとも呼ばれている。凹凸形状部分の内の凸部状の部分は、リブ５である。
【００２２】
このガス流路４Ａには、酸化剤ガスが図１の紙面垂直方向に沿ってガス流通方向（ガス流れ方向）に流通し、ガス流路４Ｂには、燃料ガスが図１の紙面垂直方向に沿ってガス流通方向（ガス流れ方向）に流通する。このように、燃料極１１が燃料ガスの供給を受け、酸化剤極１０が酸化剤の供給を受けることにより、燃料電池発電セルは発電をする。
【００２３】
図１のガス流路４Ａ，４Ｂの断面形状は矩形断面であり、ガス流路４Ａ，４Ｂの流路壁面は、ガス拡散層２の面（以下、ガス拡散層面という）４Ｆと、セパレータ板１Ａ、１Ｂのリブ５が構成する向かい合う２つの流路側壁４Ｇ、４Ｇと、ガス拡散層面４Ｆに対面する天井面（以下、流路天井という）４Ｈを有している。
ガス流路４Ａ，４Ｂは、これらのガス拡散層面４Ｆと、２つの流路側壁４Ｇ、４Ｇと、流路天井４Ｈにより囲まれて形成されており、ガス流路４Ａ，４Ｂは２つの流路側壁４Ｇ、４Ｇと、流路天井４Ｈを有する。
【００２４】
ここで、図１に示す本発明の燃料電池発電セルの実施例と、図１４に示す一般的な燃料電池発電セルとの差異について説明する。
図１４に示す一般的な燃料電池発電セルでは、２つの流路側壁１０４Ｇ，１０４Ｇと、流路天井１０４Ｈはいすれも平面形状であり、ガス流路１０４は２つの流路側壁１０４Ｇ，１０４Ｇと流路天井１０４Ｈにより囲まれている。
これに対して、図１に示すように本発明の実施例１では、セパレータ板１Ａ、１Ｂのガス流路４Ａ，４Ｂの流路壁面を構成している２つの流路側壁（側壁面）４Ｇ、４Ｇと、流路天井（対向壁面ともいう）４Ｈは、ともに親水性を有しており、２つの流路側壁（側壁面ともいう）４Ｇ、４Ｇと、流路天井（対向壁面ともいう）４Ｈには、それぞれに微細な溝６が設けられていることが特徴的である。
【００２５】
微細な溝６は、図１（Ａ）に示すように、断面三角形を有しており、図１（Ｂ）に示すように、燃料ガスと酸化剤ガスの流れ方向（ガス流通方向）に並行になるように設置されている。
図１の実施例では、液水がガス拡散層２の上で滴状に成長してくると、この液水はセパレータ板１Ａ、１Ｂの流路側壁４Ｇ、４Ｇと、流路天井４Ｈに触る。そして、液水はそれぞれの微細な溝６に触れると、セパレータ板１Ａ、１Ｂの流路側壁４Ｇ、４Ｇと、流路天井４Ｈが親水性であるために、液水と、流路側壁４Ｇ、４Ｇと、流路天井４Ｈと、気体との間に表面張力が働き、液水は表面エネルギーを最小にしようとしながら、液水は流路側壁４Ｇ、４Ｇの平面部分と流路天井４Ｈの平面部分よりも、それぞれの微細な溝６に集中して沿って広がって流れていく。このため、液水が、流路側壁４Ｇ、４Ｇと流路天井４Ｈにおいて、滴状に留まることが無い。
【００２６】
このように、実施例１は、ガス流路の流路壁面の微細な溝付近に接した液水が、微細な溝に沿って速やかに移動するために、流路壁面内に液水がとどまることがなく、円滑にかつ確実に排除できる。しかも、微細な溝の形成されている方向が、ガスの流通方向に並行な方向であるので、液水は微細な方向に沿って広く移動できることから、より効果的に液水の排除が可能になる。
【００２７】
フラッディング現象は、液水が留まることに起因して発生するため、液水がガス拡散層２の上の一定箇所に留まらせること無く排除できれば良い。
本発明の実施例１及び以下に説明する本発明の他の実施例においては、微細な溝６が燃料ガスと酸化剤ガスの流れ方向に沿って、それぞれのガス流路４Ａ，４Ｂについて、３本設置されている。
しかし、微細な溝６の本数は３本に限ることはなく、燃料電池発電セルの部位によっては本数を変更しても構わない。なお、表面張力による液水の移動力を得るには、この微細な溝６を流路とみなしたときの等価直径が、０．５ｍｍ以下であることが望ましい。
【００２８】
（実施例２）
図２は、本発明の好ましい実施例２の燃料電池発電セルを示している。
図２（Ａ）は、燃料ガスと酸化剤ガスの流れ方向に対して垂直な面における燃料電池発電セルの断面構造を示している。図２（Ｂ）は、図２（Ａ）におけるＡ−Ａ線に沿った断面構造を示している。図２（Ａ）は、図２（Ｂ）におけるＢ−Ｂ線に沿った断面構造を示している。
図２の実施例２については、図１の実施例１とは異なる部分について説明するが、図１の実施例１の構成部分と同じ図２の実施例２の構成部分については、同じ符号を記しており図１の実施例１の説明を用いる。
【００２９】
図２に示す実施例２では、液水を導くための複数の微細な溝６が、ガス流路４Ａ，４Ｂの流路壁面を構成している２つの流路側壁４Ｇ、４Ｇと、流路天井４Ｈに渡って、ガス流通方向と垂直な方向に設けてある。複数の微細な溝６は、図２（Ｂ）に示すように、例えば等間隔をおいて配列されている。この複数の微細な溝６は、一つ以上設置されている。
この実施例２では、微細な溝６がガス流路の壁面を周方向に取り囲んでおり、ガス拡散層２から成長した液水（液滴ともいう）が、壁面の微細な溝６に触ったときに、液水が微細な溝６にひきこまれる構造となっている。
【００３０】
ガス拡散層２から成長する滴水が、大きく成長する前に微細な溝６に触るため、速やかに液水が移動することができ、結果として液水の移動量を増すことができる。
この周方向の微細な溝６は、燃料電池発電セルの部位により、配置する微細な溝６の数を変えてもかまわない。また、必要に応じて複数の微細な溝６の間隔は、部位によって変えることができる。
このように実施例２では、微細な溝がガスの流通方向に対して垂直な方向に、すなわちガス流路の周囲に渡って設置されているので、ガス拡散層付近でこの微細な溝に接触した液水は、速やかにガス拡散層から離脱して排除される。
【００３１】
（実施例３）
図３は、本発明の好ましい実施例３の燃料電池発電セルを示している。
図３（Ａ）は、燃料ガスと酸化剤ガスの流れ方向に対して垂直な面における燃料電池発電セルの断面構造を示している。図３（Ｂ）は、図３（Ａ）におけるＡ−Ａ線に沿った断面構造を示している。図３（Ａ）は、図３（Ｂ）におけるＢ−Ｂ線に沿った断面構造を示している。
図３の実施例３については、図１の実施例１とは異なる部分について説明するが、図１の実施例１の構成部分と同じ図３の実施例３の構成部分については、同じ符号を記しており図１の実施例１の説明を用いる。
【００３２】
図３に示す実施例３では、液水を導くための複数の微細な溝６が、ガス流路４Ａ，４Ｂの流路壁面を構成している２つの流路側壁４Ｇ、４Ｇと、流路天井４Ｈにおいて、実施例１と実施例２に比べると、より多く設けられている。
微細な溝６（６Ａで示す）は、ガス流通方向に対して並行な方向に設置され、別の微細な溝６（６Ｂで示す）は、ガス流通方向に対して垂直な方向に設置されている。さらに別の微細な溝６（６Ｃで示す）は、ガス流通方向に対して並行な方向と垂直な方向の方向ベクトルを成分に持つ方向（斜め方向）に設置されている。
【００３３】
このように実施例３では、複数の微細な溝６の方向が一つの決まった方向ではなく任意の自由な幾つかの方向に沿って配置されている。このため、速やかな液水の移動が、２つの流路側壁４Ｇ、４Ｇと、流路天井４Ｈの全域に渡って可能である。しかもこれだけではなく、ガス流路４Ａ，４Ｂ内において、液水が潤沢にある箇所から不足がちな領域へ円滑に移動することを可能にする。
ガス拡散層付近でこの微細な溝に接触した液水が、速やかにガス拡散層から離脱して、しかも並行方向にも微細な溝があるので、液水は広い領域を移動することができるため、ガス流路にある液水が円滑に排除できる。
【００３４】
（実施例４）
図４は、本発明の好ましい実施例２の燃料電池発電セルを示している。
図４（Ａ）は、図４（Ｃ）におけるＢ−Ｂ線に沿った断面構造を示し、燃料ガスと酸化剤ガスの流れ方向に対して垂直な面における燃料電池発電セルの断面構造を示している。図４（Ｂ）は、図４（Ｃ）におけるＣ−Ｃ線に沿った断面構造を示している。図４（Ｃ）は、図４（Ａ）におけるＡ−Ａ線に沿った断面構造を示している。
図４の実施例４については、図１の実施例１とは異なる部分について説明するが、図１の実施例１の構成部分と同じ図４の実施例４の構成部分については、同じ符号を記しており図１の実施例１の説明を用いる。
【００３５】
図４に示す実施例４では、液水を導くための微細な溝６の断面形状が、燃料電池発電セルの部位により、例えば三角形から四角形へと変えている。図４（Ａ）では、微細な溝６（６Ｄで示す）の断面が四角形であるが、図４（Ｂ）では、微細な溝６（６Ｅで示す）の断面が三角形である。これらの微細な溝６Ｄ、６Ｅは、ガス流通方向に並行な方向に沿って連続して設置されている。実施例４では、その他に、図３の実施例３と同様な微細な溝６Ｂ、６Ｃが設置されている。
【００３６】
このように微細な溝６Ｄ、６Ｅにおける形状の変化は、図４（Ｂ）に示す微細な溝６Ｄの頂点における液水の曲率半径７と、図４（Ｃ）に示す微細な溝６Ｅの頂点における液水の曲率半径８とを変化させることとなる。このため、液面の表面張力に差をつけることができ、微細な溝６Ｄ、６Ｅにおける液水の移動力を生じさせることができる。
曲率半径７は、ガス流路の壁面が親水性で頂点角の大きい角部に液水が付着した場合であり、曲率半径８は、ガス流路の壁面が親水性で頂点角の小さい角部に液水が付着した場合である。
【００３７】
同様に、微細な溝６Ｄ、６Ｅの断面面積を変化することによっても、同じように液面の表面張力に差をつけることができ、微細な溝６Ｄ、６Ｅにおける液水の移動力を生じさせることができる。
実施例４では、微細な溝の断面面積と形状を、ガス流路内の位置により変化させることで、液水の表面張力の差を引き起こすために、効果的な液水の移動を促すことが可能になる。
【００３８】
（実施例５）
図５は、本発明の好ましい実施例５の燃料電池発電セルを示している。
図５（Ａ）は、燃料ガスと酸化剤ガスの流れ方向に対して垂直な面における燃料電池発電セルの断面構造を示している。図５（Ｂ）は、図５（Ａ）におけるＡ−Ａ線に沿った断面構造を示している。図５（Ａ）は図５（Ｂ）におけるＢ−Ｂ線に沿った断面構造を示している。
図５の実施例５については、図１の実施例１とは異なる部分について説明するが、図１の実施例１の構成部分と同じ図５の実施例５の構成部分については、同じ符号を記しており図１の実施例１の説明を用いる。
【００３９】
図５の実施例５では、複数の微細な溝６は、ガス流通方向に対して並行な方向に設置されている。各微細な溝６の断面面積が、ガス流路４Ａ，４Ｂ内で全域、もしくは、ある指定区間内に渡って連続的に変化している。これにより、微細な溝６の方向成分に関する液水の表面張力差を設けることができる。
【００４０】
微細な溝６内において、ある長さのある微細な溝６の中ほどに微小な液滴が付着したときでも、いずれかの部位に含まれる液水は、微細な溝６の方向成分に関する表面張力差により生じる移動力により移動することができる。微細な溝６の断面面積の変化率は、部位によって異なってもよく、あるいは一定であっても構わない。また、微細な溝６が複数ある場合、微細な溝６の断面面積の変化する方向については、図５（Ｂ）に示すように互いに変化する向きが同じであっても、図示はしていないが異なっていても良い。
実施例５では、その他に、図３の実施例３と同様な微細な溝６Ｂ、６Ｃが設置されている。実施例５では、微細な溝の断面面積と形状を、ガスの流通方向に並行な方向に対して、ガス流路内の位置により、連続的に変化させることで、表面張力の差を連続的に発生させるため、ガスの流通方向に関する液水の移動の不連続性が解消できる。
【００４１】
（実施例６）
図６は、本発明の好ましい実施例６の燃料電池発電セルを示している。
図６（Ａ）は、燃料ガスと酸化剤ガスの流れ方向に対して垂直な面における燃料電池発電セルの断面構造を示している。図６（Ｂ）は、図６（Ａ）におけるＡ−Ａ線に沿った断面構造を示している。図６（Ａ）は図６（Ｂ）におけるＢ−Ｂ線に沿った断面構造を示している。
図６の実施例６については、図１の実施例１とは異なる部分について説明するが、図１の実施例１の構成部分と同じ図６の実施例６の構成部分については、同じ符号を記しており図１の実施例１の説明を用いる。
【００４２】
図６の実施例６では、ガス流路４Ａ，４Ｂの周方向にそって構成される微細な溝６（６Ｆで示す）の断面面積が、ガス流路４Ａ，４Ｂ内で全域に渡って連続的に変化しているか、もしくはガス流路４Ａ，４Ｂのある指定区間内に渡って連続的に変化している。これにより、ある程度長い微細な溝６（６Ｆ）の中ほどに微小な液水が付着したときでも、微細な溝６（６Ｆ）内の液水は、移動力を失わずに移動し続けることができる。
実施例６では、その他に、微細な溝６Ａ、６Ｃが設置されている。実施例６では、微細な溝の断面面積と形状が、ガスの流通方向に垂直な方向に対して、ガス流路内の位置により、連続的に変化されていることで、表面張力の差を連続的に発生させるため、ガスの流通方向と垂直な方向に関する液水の移動の不連続性が解消できる。
【００４３】
（実施例７）
図７は、本発明の好ましい実施例７の燃料電池発電セルを示している。
図７（Ａ）は、燃料ガスと酸化剤ガスの流れ方向に対して垂直な面における燃料電池発電セルの断面構造を示している。図７（Ｂ）は、図７（Ａ）におけるＡ−Ａ線に沿った断面構造を示している。図７（Ａ）は、図７（Ｂ）におけるＢ−Ｂ線に沿った断面構造を示している。
図７の実施例７については、図１の実施例１とは異なる部分について説明するが、図１の実施例１の構成部分と同じ図７の実施例７の構成部分については、同じ符号を記しており図１の実施例１の説明を用いる。
【００４４】
図７の実施例７では、ガス流路４Ａ，４Ｂの壁面内では、図５の実施例５と同様にして、自由な方向に複数の微細な溝６（６Ｇ、６Ｈ、６Ｉで示す）が設けられている。各微細な溝６（６Ｇ、６Ｈ、６Ｉ）の断面面積は、それぞれの長さ方向に沿って増加又は減少している。
微細な溝６Ｇは、ガス流通方向に並行な方向に沿って形成されており、微細な溝６Ｈは、ガス流通方向に垂直な方向に沿って形成されている。そして、微細な溝６Ｉは、ガス流通方向に並行な方向と垂直な方向のそれぞれの方向成分の合成方向に沿って形成されている。このため、微細な溝６（６Ｇ、６Ｈ、６Ｉ）は、ガス流路内の位置により、連続的に変化させているので、表面張力の差を連続的に発生させるため、液水はガス流路内の自由な方向に連続的に円滑に移動できる。
【００４５】
図７に示すセパレータ板１Ａ、１Ｂは、カーボンを基本材料とした固形のソリッド体や、多孔質構造を備えた材料を用いて、切削や型を用いた流し込みにより形成されたり、あるいは、金属板をプレス加工し形成することにより形成される。なお，流し込み形成に型を用いる際には、ゴム質材により型を構成することで、複雑な入り組んだ形状のセパレータ板１Ａ、１Ｂが形成できる。
【００４６】
（実施例８）
図８は、本発明の好ましい実施例８の燃料電池発電セルを示している。
図８（Ａ）は、燃料ガスと酸化剤ガスの流れ方向に対して垂直な面における燃料電池発電セルの断面構造を示している。図８（Ｂ）は、図８（Ａ）におけるＡ−Ａ線に沿った断面構造を示している。図８（Ａ）は、図８（Ｂ）におけるＢ−Ｂ線に沿った断面構造を示している。
図８の実施例８については、図１の実施例１とは異なる部分について説明するが、図１の実施例１の構成部分と同じ図８の実施例８の構成部分については、同じ符号を記しており図１の実施例１の説明を用いる。
【００４７】
図８の実施例８では、微細な溝６をそれぞれ有する流路側壁４Ｇと、流路天井４Ｈにおいて、液水が壁面に接触した際の接触角がそれぞれ異なるよう構成されている。つまり、２つの流路側壁４Ｇの接触角θｓと流路天井４Ｈの接触角θｐとが異なり、２つの流路側壁４Ｇの接触角θｓと、流路天井４Ｈの接触角θｐと、ガス拡散層２の接触角θｄと、の関係は、次のような関係になっている。
流路側壁４Ｇの接触角θｓ＜流路天井４Ｈの接触角θｐ＜ガス拡散層２の接触角θｄ
【００４８】
このように２つの流路側壁４Ｇ、４Ｇと、流路天井４Ｈと、ガス拡散層２における液水の濡れ性に対して段階的な変化をつけておくと、例えば直径０．３ｍｍほどの水滴が流路側壁４Ｇと流路天井４Ｈに触れた際には、水滴が濡れて壁面に沿って広がり、その広がりは接触角が小さい流路側壁４Ｇに達する。
さらに、流路側壁４Ｇの接触角が小さいために水滴は流路側壁４Ｇの面に広がろうとするので、結果的に水滴は最初に触れた例えば流路天井４Ｈから流路側壁４Ｇへと移動してゆく。
実施例８では、液水の移動は、微細な溝６（６Ａ、６Ｂ、６Ｃ）を介して容易になる。このようにして、ガス拡散層からの液水の離脱を促すことができる。
なお、微細な溝６の断面形状は特に限定されず、図８に示すように例えば断面四角形である。また、微細な溝６の形成方向は、特に限定されない。
【００４９】
（実施例９）
図９は、本発明の好ましい実施例９の燃料電池発電セルを示している。
図９（Ａ）は、燃料ガスと酸化剤ガスの流れ方向に対して垂直な面における燃料電池発電セルの断面構造を示している。図９（Ｂ）は、図９（Ａ）におけるＡ−Ａ線に沿った断面構造を示している。図９（Ａ）は、図９（Ｂ）におけるＢ−Ｂ線に沿った断面構造を示している。
図９の実施例９については、図１の実施例１とは異なる部分について説明するが、図１の実施例１の構成部分と同じ図９の実施例９の構成部分については、同じ符号を記しており図１の実施例１の説明を用いる。
【００５０】
図８の実施例８では、ガス流路４Ａ，４Ｂは、２つの流路側壁４Ｇ、４Ｇと流路天井４Ｈを有しており、断面四角形である。
しかし、図９の実施例９では、ガス流路４Ａ，４Ｂは、２つの流路側壁４Ｌ、４Ｌとガス拡散層２の面とにより断面三角形に形成されている。流路側壁４Ｌ、４Ｌには、それぞれ少なくとも一つ以上の微細な溝６が設けられており、微細な溝６は例えば断面三角形状である。
【００５１】
このため、ガス流路４Ａ，４Ｂの断面形状に現れる流路側壁４Ｌ、４Ｌどうしの合わさる角度は鋭角であり、流路側壁４Ｌ、４Ｌとガス拡散層２の面との角度は鈍角になっているので、気固液３相の成す液体の接触角を積極的に変化させている。
流路側壁４Ｇ、４Ｇの接触角θｓとガス拡散層２の接触角θｄとの関係は、流路側壁４Ｇ、４Ｇの接触角θｓ＜ガス拡散層２の接触角θｄ、である。
したがって、実施例９では、液水の移動が微細な溝６を介して容易になる。このようにして、ガス拡散層からの液水の離脱を促すことができる。
【００５２】
（実施例１０）
図１０は、本発明の好ましい実施例１０の燃料電池発電セルを示している。
図１０（Ａ）は、燃料ガスと酸化剤ガスの流れ方向に対して垂直な面における燃料電池発電セルの断面構造を示している。図１０（Ｂ）は、図１０（Ａ）におけるＡ−Ａ線に沿った断面構造を示している。図１０（Ａ）は、図１０（Ｂ）におけるＢ−Ｂ線に沿った断面構造を示している。
図１０の実施例１０については、図１の実施例１とは異なる部分について説明するが、図１の実施例１の構成部分と同じ図１０の実施例１０の構成部分については、同じ符号を記しており図１の実施例１の説明を用いる。
【００５３】
図１０の実施例１０は、図９の実施例９に似ているが、微細な溝６の断面形状がガスの流通方向に沿って変化している。このように微細な溝６の断面積が変化していくと、水滴が流路側壁４Ｌに付着した際に、流路側壁４Ｌ、４Ｌが構成する隅部分の角度、及び微細な溝６での気固液接触角がガスの流通方向に沿って変化するため、液水は連続的に移動することになる。なお、ガス流路４Ａ，４Ｂの断面形状は、矩形でも三角形でも良く、限定されない。
実施例１０では、ガス流路の断面面積がガス流路の上流部と下流部とでは変化させる。このため、表面張力の変化を引き起こすため、液水をガス流通方向に沿って円滑に移動することができる。
【００５４】
（実施例１１）
図１１は、本発明の好ましい実施例１１の燃料電池発電セルを示している。
図１１（Ａ）は、燃料ガスと酸化剤ガスの流れ方向に対して垂直な面における燃料電池発電セルの断面構造を示している。図１１（Ｂ）は、図１１（Ａ）におけるＡ−Ａ線に沿った断面構造を示している。
図１１の実施例１１については、図１の実施例１とは異なる部分について説明するが、図１の実施例１の構成部分と同じ図１１の実施例１１の構成部分については、同じ符号を記しており図１の実施例１の説明を用いる。
【００５５】
図１１の実施例１１では、酸化剤極（カソード）１０のガス流路４Ａの断面面積の変化が、酸化剤極１０における矢印で示すガス流通方向に沿って、つまり上流部から下流部に流れるにしたがって拡大するように、ガス流路４Ａを設置したものである。この酸化剤極１０においてガス流路４Ａがガス流通方向へ広がるのに対応して、微細な溝６も同様に断面面積が広がっている。
酸化剤極１０のガス流路４Ａでは、発電により水が気体状態である蒸気が、投入酸素量の２倍の体積として生成される。ガス流路４Ａの下流部に行くに従い、ガス流路４Ａの内部を流れる酸化剤ガスは増加するとともに、飽和蒸気圧に達したガス中の水は気体として存在できなくなり、気体から液体へ凝固し、流路側壁４Ｌ、４Ｌなどに付着する。
【００５６】
通常、ガス流路４Ａの下流部では、微細な溝６が設けられていない場合には、この付着した液水が基点となって、さらにガス中の水分は液体へと変化するため、水滴が成長する一途となり、いずれは液水がガス流路４Ａを塞いでしまう。一方、ガス流路４Ａの上流部では、下流部での液水生成を抑えるために、湿度の低いガスを投入することが多いが、湿度が低いため、液水から蒸気へと蒸発しやすい環境になっている。
【００５７】
このことは、プロトン移動を行う固体電解質３やこれに隣接する触媒層付近のアイオノマー中に含まれる液水が蒸発して乾燥を促進させるために、スルホン酸系の膜や炭化水素系の材料では発電性能が著しく低下する。
このとき、下流部で凝固するほど余っている液水を上流部へ移動する機構としては、上述したようにガス流路４Ａの断面面積の変化が、上流部から下流部に流れるに従って拡大すれば、前述のような燃料電池発電セルの性能低下が抑えられる。
実施例１１では、酸化剤極のガス流路の断面面積が上流部から下流部へ流れるに従って拡大させることにより、表面張力は下流部から上流部に向かって合力が発生するため、液水はガス流通方向の上流部側に移動することができる。
【００５８】
（実施例１２）
図１２は、本発明の好ましい実施例１１の燃料電池発電セルを示している。
図１２（Ａ）と図１２（Ｂ）は、燃料ガスと酸化剤ガスの流れ方向に対して垂直な面における燃料電池発電セルの断面構造を示している。図１２（Ｃ）は、図１２（Ａ）におけるＡ−Ａ線に沿った断面構造を示している。
図１２の実施例１２については、図１の実施例１とは異なる部分について説明するが、図１の実施例１の構成部分と同じ図１２の実施例１２の構成部分については、同じ符号を記しており図１の実施例１の説明を用いる。
【００５９】
図１２の実施例１２では、酸化剤極１０のガス流路４Ａの断面形状が、途中から例えば背の低い二等辺三角形から、正三角形へと変化している。この他に、酸化剤極１０のガス流路４Ａの断面形状は、三角形から四角形へ変化するようにしても構わない。
このように、酸化剤極１０のガス流路４Ａの断面形状が、二等辺三角形から正三角形に変化する変化点があると、変化点においては酸化剤極１０のガス流路４Ａの流路側壁４Ｌ、４Ｌが形成している頂点角の角度が変わり、この頂点角の部分に付着した液水の曲率半径が変化する。
微細な溝６の断面形状における変化点は、ガス流路４Ａの断面形状の変化点に合わせて形成しても良いし、合わせなくて別の位置に微細な溝６の変化点を設けても良い。
【００６０】
一般的に、液水が接する部分における頂点角の角度が小さいほうが、付着した液水の曲率半径が小さくなるため、毛細管圧力の差が現れ、この差が液水移動のための駆動力となる。すなわち、ガス流路４Ａの流路側壁４Ｌ、４Ｌの壁面濡れ性が親水性のときに、この変化点をまたがって存在する液水は、頂点角の小さい側へ移動する。
なお、流路側壁４Ｌ、４Ｌの接触角はθｓで示し、ガス拡散層面の接触角はθｄで示している。実施例１２では、ガス流路の上流部と下流部とで表面張力の変化は、ガス流路の断面形状の違いにより引き起こすため、液水のガス流通方向の移動が、簡単な構造により引き起こすことができる。
【００６１】
（実施例１３）
図１３は、本発明の好ましい実施例１１の燃料電池発電セルを示している。
図１３（Ａ）と図１３（Ｂ）は、燃料ガスと酸化剤ガスの流れ方向に対して垂直な面における燃料電池発電セルのＢ−Ｂ断面構造とＣ−Ｃ断面構造を示している。図１３（Ｃ）は、図１３（Ａ）におけるＡ−Ａ線に沿った断面構造を示している。
図１３の実施例１３については、図１の実施例１とは異なる部分について説明するが、図１の実施例１の構成部分と同じ図１３の実施例１３の構成部分については、同じ符号を記しており図１の実施例１の説明を用いる。
【００６２】
図１３の実施例１３では、酸化剤極１０のガス流路４Ａの断面形状が、例えば連続的に三角形から四角形へ変化している。つまり、ガス流路４Ａの断面形状は上流部では三角形であり、下流部では矩形になるように連続的に変化している。
微細な溝６の頂点角に付着した液水は、つねにその両脇で曲率半径が異なるため、液水の移動のための駆動力をつねに得ることができ、実施例１２の効果が連続的に得られることになる。特に、酸化剤極１０のセパレータ板１Ａは、金属薄板などのプレスにより形成することが容易である。
【００６３】
実施例１３では、ガス流路の上流部では三角形状の断面を有しており、下流部では矩形断面を有していることから、下流部から上流部へ移動させる表面張力の発生を、簡単な構造により引き起こすことができる。
以上のように、本発明の各実施例では、燃料電池スタックの特にガス流路４Ａ、４Ｂ内での液水の滞留を防止することにより、燃料電池システムは常に安定性した運転を実施することができる。
【００６４】
本発明の実施例によれば、ガス流路の流路壁面（流路側壁と流路天井）を親水性とし、流路壁面には一つ以上の微細な溝を設けることで、流路壁面の微細な溝付近に接した液水がこれに沿って速やかに移動するため、流路の断面内に液水が留まることなく、液水は円滑に排除できる。
本発明の実施例によれば、微細な溝の方向がガスの流通方向と並行な方向であるので、液水は微細な溝に沿って広く移動することができ、より効果的に液水の排除を行うことが可能となる。
【００６５】
本発明の実施例によれば、微細な溝の方向をガスの流通方向に対して垂直な方向に、すなわち微細な溝はガス流路を覆うようにガス流路の周囲に渡って設置することで、ガス拡散層付近かつこの微細な溝に接触した液水は、速やかにガス拡散層から離脱して排除できる。
本発明の実施例によれば、微細な溝の方向をガスの流通方向に対して垂直な方向に、すなわち微細な溝はガス流路を覆うようにガス流路の周囲に渡って設置することで、ガス拡散層付近かつこの微細な溝に接触した液水が、速やかにガス拡散層から離脱し、また並行方向にも、さらには垂直方向と並行方向の方向ベクトルを成分に持つ方向にも、それぞれ微細な溝が設置されているため，液水は広く移動することができ、ガス流路内にある液水を排除することが可能となる。
【００６６】
本発明の実施例によれば、微細な溝の断面面積と形状が、ガス流路内の位置により変化することで、表面張力の差を引き起こすために、効果的な液水の移動を促すことが可能となる。
本発明の実施例によれば、微細な溝の断面面積と形状が、ガスの流通方向に対し，ガス流路内の位置により、連続的に変化することで、表面張力の差が連続的に発生するために、ガスの流通方向における液水の移動現象の不連続性を解消して、液水を円滑に排水することが可能となる。
【００６７】
本発明の実施例によれば、微細な溝の断面面積と形状が、ガスの流通方向に垂直な方向に対し，ガス流路内の位置により、連続的に変化させることで、表面張力の差を連続的に発生させるため、ガス流通方向と垂直な方向に沿った液水の移動の不連続性を解消して、液水をスムーズに排水することが可能となる。
本発明の実施例によれば、微細な溝の断面面積と形状は、ガスの流通方向およびこれ垂直な方向，もしくはこれらの方向成分の合成方向に対し、ガス流路内の位置により、連続的に変化されることで、表面張力の差が連続的に発生するために、ガス流路の面上において、液水の移動が自由な方向に連続的にできる。
【００６８】
本発明の実施例によれば、微細な溝を持つガス流路の断面形状が例えば矩形状であり，流路天井と流路側壁とガス拡散層の各面自体の接触角が、流路天井＜流路側壁＜ガス拡散層、となる関係をもつことで、液水がガス拡散層から離脱することを促すことが可能となる。
本発明の実施例によれば、微細な溝を持つガス流路の断面形状が例えば三角形であり，流路側壁とガス拡散層の各面自体の接触角が、流路側壁＜ガス拡散層、となる関係をもつことで、液水がガス拡散層から離脱することを促すことが可能となる。
【００６９】
本発明の実施例によれば、ガス流路の断面積を上流部と下流部とで変化させることにより、表面張力の変化を引き起こすため、液水をガスの流通方向にそって移動することができる。
本発明の実施例によれば、酸化剤極（カソード）側のガス流路の断面積が、上流部から下流部へ流れるに従って拡大することにより、表面張力は下流部から上流部に向かって合力が発生するため、液水をガスの流通方向における上流部方向に移動することができる。
【００７０】
本発明の実施例によれば、ガス流路の上流部と下流部とで表面張力の変化を、断面形状の違いにより引き起こすため、液水のガス流通方向への移動を、簡便な製作だけで、引き起こすことができる。
本発明によれば、ガス流路の上流部では三角形断面とし、下流部では矩形断面とすることで、下流部から上流部へ移動させる表面張力の発生は、簡便な構造により引き起こすことができる。
【００７１】
上述した本発明の各実施例は、任意に組み合わせて用いることができる。
本発明は、上記実施形態に限定されず、特許請求の範囲を逸脱しない範囲で種々の変形例が考えられる。例えば、図示の各実施例では、複数の微細な溝が形成されているが、これに限らず、各実施例では、ガス流路を構成する流路壁面には、一つ以上の微細な溝が形成されていれば良い。ガス流路の断面形状は、三角形や四角形に限らず、他の形状であっても良い。
【図面の簡単な説明】
【００７２】
【図１】本発明の燃料電池発電セルの好ましい実施例１の構造を示す断面図である。
【図２】本発明の燃料電池発電セルの好ましい実施例２の構造を示す断面図である。
【図３】本発明の燃料電池発電セルの好ましい実施例３の構造を示す断面図である。
【図４】本発明の燃料電池発電セルの好ましい実施例４の構造を示す断面図である。
【図５】本発明の燃料電池発電セルの好ましい実施例５の構造を示す断面図である。
【図６】本発明の燃料電池発電セルの好ましい実施例６の構造を示す断面図である。
【図７】本発明の燃料電池発電セルの好ましい実施例７の構造を示す断面図である。
【図８】本発明の燃料電池発電セルの好ましい実施例８の構造を示す断面図である。
【図９】本発明の燃料電池発電セルの好ましい実施例９の構造を示す断面図である。
【図１０】本発明の燃料電池発電セルの好ましい実施例１０の構造を示す断面図である。
【図１１】本発明の燃料電池発電セルの好ましい実施例１１の構造を示す断面図である。
【図１２】本発明の燃料電池発電セルの好ましい実施例１２の構造を示す断面図である。
【図１３】本発明の燃料電池発電セルの好ましい実施例１３の構造を示す断面図である。
【図１４】一般的な燃料電池スタックのセル構造の１つの要素を示す断面図である。
【符号の説明】
【００７３】
１Ａ   セパレータ板
１Ｂ   セパレータ板
２   ガス拡散層（ＧＤＬ：Ｇａｓ  ｄｉｆｆｕｓｉｏｎ  ｌａｙｅｒ）
３   固体電解質膜
４Ａ   ガス流路（チャンネル）
４Ｂ   ガス流路（チャンネル）
４Ｇ      流路側壁（流路壁面）
４Ｈ      流路天井（流路壁面）
５   リブ
６   微細な溝
７   壁面が親水性で、頂点角の大きい角部に液水が付着した場合の曲率半径
８   壁面が親水性で、頂点角の小さい角部に液水が付着した場合の曲率半径
１０      酸化剤極
１１      燃料極
１０２   ガス拡散層
１０３   触媒層が表面に設置された固体電解質膜
１０４Ｇ  流路側壁
１０４Ｈ  流路天井
１１０    酸化剤極
１１１    燃料極
【図１】
2007220570.tif 000003
【図２】
2007220570.tif 000004
【図３】
2007220570.tif 000005
【図４】
2007220570.tif 000006
【図５】
2007220570.tif 000007
【図６】
2007220570.tif 000008
【図７】
2007220570.tif 000009
【図８】
2007220570.tif 000010
【図９】
2007220570.tif 000011
【図１０】
2007220570.tif 000012
【図１１】
2007220570.tif 000013
【図１２】
2007220570.tif 000014
【図１３】
2007220570.tif 000015
【図１４】
2007220570.tif 000016